(57)【特許請求の範囲】
【請求項１】
掃除機本体と、
前記掃除機本体の下部に内蔵されており、吸引風を発生させる電動送風機と、
前記掃除機本体の下部に取り付けられる吸込具と、
前記掃除機本体の上部に取り付けられ、前記電動送風機で発生された吸引風によって吸引された塵埃を捕集する集塵部と、
前記掃除機本体に配置されており、前記吸込具と前記集塵部とを連通する第１の流路と、前記掃除機本体に配置されており、前記集塵部と前記電動送風機の吸気側とを連通する第２の流路と、
前記掃除機本体における前記電動送風機よりも上方に設けられ、前記電動送風機から排出された排気風を前記掃除機本体の外部へと排出する排出口と、
前記掃除機本体に設けられ、前記電動送風機から排出された排気風を前記排出口へと導く第３の流路と、
一端に塵埃を吸引する開口部を有する延長管と、
前記掃除機本体の後部の中央部に形成されており、前記延長管を収納する延長管収納部と、
を備え、
前記第１の流路及び前記第２の流路は、前記延長管収納部の左右にそれぞれ配置されており、前記第２の流路は、前記掃除機本体の外部に配置され、前記掃除機本体の長手方向の略全長に亘って形成されており、前記第３の流路は、前記延長管収納部と前記掃除機本体との間に形成されており、前記排出口は、前記掃除機本体の前記延長管収納部に対向する位置で、かつ、前記第２の流路と対向する位置に形成されている電気掃除機。
【請求項２】
掃除機本体と、
前記掃除機本体の下部に内蔵されており、吸引風を発生させる電動送風機と、
前記掃除機本体の下部に取り付けられる吸込具と、
前記掃除機本体の上部に取り付けられ、前記電動送風機で発生された吸引風によって吸引された塵埃を捕集する集塵部と、
前記掃除機本体に配置されており、前記吸込具と前記集塵部とを連通する第１の流路と、前記掃除機本体に配置されており、前記集塵部と前記電動送風機の吸気側とを連通する第
２の流路と、
前記掃除機本体における前記電動送風機よりも上方に設けられ、前記電動送風機から排出された排気風を前記掃除機本体の外部へと排出する排出口と、
前記掃除機本体に設けられ、前記電動送風機から排出された排気風を前記排出口へと導く第３の流路と、
を備え、
前記第２の流路は、前記掃除機本体の内部に前記掃除機本体の長手方向の略全長に亘って形成されており、前記第３の流路は、前記第２の流路と前記掃除機本体との間に形成されており、前記排出口は、前記掃除機本体の前記第２の流路と対向する位置に形成されている電気掃除機。
【請求項３】
前記第１の流路は、前記掃除機本体の長手方向の略全長に亘って形成されている請求項１または２に記載の電気掃除機。
【発明の詳細な説明】
【技術分野】
【０００１】
本発明は、電気掃除機に関し、特に、縦型の電気掃除機に関する。
【背景技術】
【０００２】
従来、この種の縦型電気掃除機においては、電気掃除機の集塵性能を向上させるべく、吸引風を発生させる電動送風機の上方に塵埃を捕集する集塵室を配置し、電動送風機と集塵室とを直接連通させる構成が提案されている（例えば、特許文献１参照）。
【０００３】
すなわち、図９に示すように、従来の縦型電気掃除機２００は、吸引風を発生させる電動送風機２０１と、電動送風機２０１の上方に配置され、塵埃を捕集する紙袋２０２を収容する集塵室２０３と、を有する掃除機本体２０４と、掃除機本体２０４の下方に形成された接続口２０５に着脱自在に接続されるパイプ２０６を有する床ノズル（図示せず）と、から構成されている。そして、従来の縦型電気掃除機２００においては、集塵室２０３と床ノズル（図示せず）とを連通させるとともに、電動送風機２０１と集塵室２０３とを直接連通させることで、電動送風機２０１で発生された吸引風によって、被清掃面の塵埃が床ノズル（図示せず）から吸引され、集塵室２０３に配置された紙袋２０２で捕集されるように構成されている。
【先行技術文献】
【特許文献】
【０００４】
【特許文献１】特開２００１−８７１７２号公報
【発明の概要】
【発明が解決しようとする課題】
【０００５】
しかしながら、上記従来の縦型電気掃除機においては、電気掃除機の静音性能を向上させるという観点からは未だ改善の余地があった。
【０００６】
すなわち、上記従来の縦型電気掃除機においては、電動送風機と集塵室とが直接連通しているため、電動送風機で発生した騒音が集塵室内に漏れやすく、電動送風機で発生した騒音が集塵室を介して掃除機本体の外部に漏れてしまう場合があった。
【０００７】
本発明は、上記従来技術の有する課題に鑑みてなされたものであり、電動送風機で発生した騒音が集塵部を介して掃除機本体の外部に漏れることを十分に防止でき、電気掃除機の静音性能を向上させることができる電気掃除機を提供することを目的とする。
【課題を解決するための手段】
【０００８】
上記従来技術の有する課題を解決するために、本発明は、掃除機本体と、前記掃除機本体の下部に内蔵されており、吸引風を発生させる電動送風機と、前記掃除機本体の下部に取り付けられる吸込具と、前記掃除機本体の上部に取り付けられ、前記電動送風機で発生された吸引風によって吸引された塵埃を捕集する集塵部と、前記掃除機本体に配置されており、前記吸込具と前記集塵部とを連通する第１の流路と、前記掃除機本体に配置されており、前記集塵部と前記電動送風機の吸気側とを連通する第２の流路と、前記掃除機本体における前記電動送風機よりも上方に設けられ、前記電動送風機から排出された排気風を前記掃除機本体の外部へと排出する排出口と、前記掃除機本体に設けられ、前記電動送風機から排出された排気風を前記排出口へと導く第３の流路と、一端に塵埃を吸引する開口部を有する延長管と、前記掃除機本体の後部の中央部に形成されており、前記延長管を収納する延長管収納部と、を備え、前記第１の流路及び前記第２の流路は、前記延長管収納部の左右にそれぞれ配置されており、前記第２の流路は、前記掃除機本体の外部に配置され、前記掃除機本体の長手方向の略全長に亘って形成されており、前記第３の流路は、前記延長管収納部と前記掃除機本体との間に形成されており、前記排出口は、前記掃除機本体の前記延長管収納部に対向する位置で、かつ、前記第２の流路と対向する位置に形成されている電気掃除機を提供する。
【０００９】
これにより、集塵部と電動送風機の吸気側とを連通する第２の流路を掃除機本体の長手方向の略全長に亘って形成しているため、電動送風機で発生した騒音が集塵部に漏れることを十分に防止することができるとともに、電動送風機で発生した騒音を第２の流路で低減することができる。そのため、電動送風機で発生した騒音が掃除機本体の外部に漏れることを十分に防止することができ、電気掃除機の静音性能を向上させることができる。
また、排出口が電動送風機よりも上方に形成され、電動送風機の排気風を排出口へと導く第３の流路が形成されているため、電動送風機で発生した騒音が排出口から掃除機本体の外部に漏れることを十分に防止することができるとともに、電動送風機で発生した騒音を第３の流路で低減することができる。そのため、電動送風機で発生した騒音が掃除機本体
の外部に漏れることをさらに十分に防止することができ、電気掃除機の静音性能をさらに向上させることができる。
また、電動送風機から排出された排気風を排出口に導く第３の流路の長さを長くすることができるため、電動送風機で発生した騒音をさらに低減することができる。また、電動送風機から排出された排気風を掃除機本体の外部へと排出する排出口を掃除機本体の延長管収納部に対向する位置で、かつ、第２の流路と対向する位置に形成しているため、電動送風機で発生した騒音が排出口から掃除機本体の外部に漏れた場合であっても、排出口から掃除機本体の外部に漏れた騒音を第２の流路で遮音することができる。そのため、電動送風機で発生した騒音が掃除機本体の外部に漏れることを十分に防止することができ、電気掃除機の静音性能をさらに向上させることができる。
【発明の効果】
【００１０】
本発明の電気掃除機によれば、電動送風機で発生した騒音が集塵部に漏れることを十分に防止できるとともに、電動送風機で発生した騒音を第２の流路で低減することができるため、電動送風機で発生した騒音が掃除機本体の外部に漏れることを十分に防止でき、電気掃除機の静音性能を向上させることができるようになる。
【図面の簡単な説明】
【００１１】
【図１】本発明の実施の形態１における電気掃除機の全体斜視図
【図２】本発明の実施の形態１における電気掃除機の背面斜視図
【図３】本発明の実施の形態１における延長管の収納状態での電気掃除機の中央断面図
【図４】本発明の実施の形態１における延長管の使用状態での電気掃除機の中央断面図
【図５】本発明の実施の形態１における第１の流路及び第２の流路を示す掃除機本体の背面断面図
【図６】本発明の実施の形態１における第３の流路を示す掃除機本体の背面断面図
【図７】本発明の実施の形態１における第３の流路を示す掃除機本体の断面図
【図８】本発明の実施の形態２における第３の流路を示す掃除機本体の断面図
【図９】従来の縦型電気掃除機を示す部分断面図
【発明を実施するための形態】
【００１８】
第１の発明は、掃除機本体と、前記掃除機本体の下部に内蔵されており、吸引風を発生させる電動送風機と、前記掃除機本体の下部に取り付けられる吸込具と、前記掃除機本体の上部に取り付けられ、前記電動送風機で発生された吸引風によって吸引された塵埃を捕集する集塵部と、前記掃除機本体に配置されており、前記吸込具と前記集塵部とを連通する第１の流路と、前記掃除機本体に配置されており、前記集塵部と前記電動送風機の吸気側とを連通する第２の流路と、前記掃除機本体における前記電動送風機よりも上方に設けられ、前記電動送風機から排出された排気風を前記掃除機本体の外部へと排出する排出口と、前記掃除機本体に設けられ、前記電動送風機から排出された排気風を前記排出口へと導く第３の流路と、一端に塵埃を吸引する開口部を有する延長管と、前記掃除機本体の後
部の中央部に形成されており、前記延長管を収納する延長管収納部と、を備え、前記第１の流路及び前記第２の流路は、前記延長管収納部の左右にそれぞれ配置されており、前記第２の流路は、前記掃除機本体の外部に配置され、前記掃除機本体の長手方向の略全長に亘って形成されており、前記第３の流路は、前記延長管収納部と前記掃除機本体との間に形成されており、前記排出口は、前記掃除機本体の前記延長管収納部に対向する位置で、かつ、前記第２の流路と対向する位置に形成されているものである。
【００１９】
これにより、集塵部と電動送風機の吸気側とを連通する第２の流路を掃除機本体の長手方向の略全長に亘って形成しているため、電動送風機で発生した騒音が集塵部に漏れることを十分に防止することができるとともに、電動送風機で発生した騒音を第２の流路で低減することができる。そのため、電動送風機で発生した騒音が掃除機本体の外部に漏れることを十分に防止することができ、電気掃除機の静音性能を向上させることができる。
また、排出口が電動送風機よりも上方に形成され、電動送風機の排気風を排出口へと導く第３の流路が形成されているため、電動送風機で発生した騒音が排出口から掃除機本体の外部に漏れることを十分に防止することができるとともに、電動送風機で発生した騒音を第３の流路で低減することができる。そのため、電動送風機で発生した騒音が掃除機本体の外部に漏れることをさらに十分に防止することができ、電気掃除機の静音性能をさらに向上させることができる。
また、電動送風機から排出された排気風を排出口に導く第３の流路の長さを長くすることができるため、電動送風機で発生した騒音をさらに低減することができる。また、電動送風機から排出された排気風を掃除機本体の外部へと排出する排出口を掃除機本体の延長管収納部に対向する位置で、かつ、第２の流路と対向する位置に形成しているため、電動送風機で発生した騒音が排出口から掃除機本体の外部に漏れた場合であっても、排出口から掃除機本体の外部に漏れた騒音を第２の流路で遮音することができる。そのため、電動送風機で発生した騒音が掃除機本体の外部に漏れることを十分に防止することができ、電気掃除機の静音性能をさらに向上させることができる。
【００２０】
第２の発明は、掃除機本体と、前記掃除機本体の下部に内蔵されており、吸引風を発生させる電動送風機と、前記掃除機本体の下部に取り付けられる吸込具と、前記掃除機本体の上部に取り付けられ、前記電動送風機で発生された吸引風によって吸引された塵埃を捕集する集塵部と、前記掃除機本体に配置されており、前記吸込具と前記集塵部とを連通する第１の流路と、前記掃除機本体に配置されており、前記集塵部と前記電動送風機の吸気側とを連通する第２の流路と、前記掃除機本体における前記電動送風機よりも上方に設けられ、前記電動送風機から排出された排気風を前記掃除機本体の外部へと排出する排出口と、前記掃除機本体に設けられ、前記電動送風機から排出された排気風を前記排出口へと導く第３の流路と、を備え、前記第２の流路は、前記掃除機本体の内部に前記掃除機本体の長手方向の略全長に亘って形成されており、前記第３の流路は、前記第２の流路と前記掃除機本体との間に形成されており、前記排出口は、前記掃除機本体の前記第２の流路と対向する位置に形成されているものである。
【００２１】
これにより、集塵部と電動送風機の吸気側とを連通する第２の流路を掃除機本体の長手方向の略全長に亘って形成しているため、電動送風機で発生した騒音が集塵部に漏れることを十分に防止することができるとともに、電動送風機で発生した騒音を第２の流路で低減することができる。そのため、電動送風機で発生した騒音が掃除機本体の外部に漏れることを十分に防止することができ、電気掃除機の静音性能を向上させることができる。
また、排出口が電動送風機よりも上方に形成され、電動送風機の排気風を排出口へと導く第３の流路が形成されているため、電動送風機で発生した騒音が排出口から掃除機本体の外部に漏れることを十分に防止することができるとともに、電動送風機で発生した騒音を第３の流路で低減することができる。そのため、電動送風機で発生した騒音が掃除機本体の外部に漏れることをさらに十分に防止することができ、電気掃除機の静音性能をさらに向上させることができる。
また、電動送風機から排出された排気風を排出口に導く第３の流路の長さを長くすることができるため、電動送風機で発生した騒音をさらに低減することができ、電動送風機で発生した騒音が掃除機本体の外部に漏れることをさらに十分に防止することができるとともに、電気掃除機の静音性能をさらに向上させることができる。
【００２２】
第３の発明は、特に、第１または第２の発明において、第１の流路は、掃除機本体の長手方向の略全長に亘って形成されているものである。
【００２３】
これにより、第１の流路及び第２の流路が掃除機本体の長手方向の略全長に亘って形成されるため、電動送風機で発生した騒音を第１の流路及び第２の流路で低減させることができる。そのため、電動送風機で発生した騒音が掃除機本体の外部に漏れることをさらに十分に防止することができ、電気掃除機の静音性能をさらに向上させることができる。
【００２４】
以下、図面を参照しながら本発明の電気掃除機の好適な実施形態について詳細に説明する。なお、以下の説明では、同一または相当部分には同一符号付し、重複する説明は省略する。
【００２５】
（実施の形態１）
本発明の電気掃除機の実施の形態１について、図１〜図７を用いて説明する。
【００２６】
図１は、本発明の実施の形態１における電気掃除機の全体斜視図である。また、図２は、本発明の実施の形態１における電気掃除機の背面斜視図である。さらに、図３は、本発明の実施の形態１における延長管の収納状態での電気掃除機の中央断面図である。また、図４は、本発明の実施の形態１における延長管の使用状態での電気掃除機の中央断面図である。さらに、図５は、本発明の実施の形態１における第１の流路及び第２の流路を示す掃除機本体の背面断面図である。また、図６本発明の実施の形態１における第３の流路を示す掃除機本体の背面断面図である。さらに、図７は、本発明の実施の形態１における第３の流路を示す掃除機本体の断面図である。
【００２７】
図１〜図４に示すように、電気掃除機１００は、電動送風機（図示せず）を内蔵する掃除機本体１と、掃除機本体１の下部に着脱自在に取付けられた吸込具２と、掃除機本体１の上部に着脱自在に接続される集塵部３と、一端に塵埃を吸引する開口部（図示せず）が形成された伸縮自在或いは継ぎ自在の延長管４と、一端が延長管４の他端に接続されるとともに、他端が掃除機本体１に形成された接続口１ａに接続されるホース５と、から構成されている。また、接続口１ａは後述する第１の流路２６と連通するように形成されている。
【００２８】
吸込具２は、下面に吸引口６ａを有する吸込具本体６と、吸込具本体６の中央後部に配置された接続管７と、から構成されている。接続管７は、一端が吸込具本体６に上下及び左右に回動自在に取り付けられており、他端が掃除機本体１の下部に着脱自在に取付けられている。また、吸込具本体６の内部には、被清掃面の塵埃を掻きあげる回転ブラシ８と、回転ブラシ８を駆動する駆動手段（図示せず）が配置されている。
【００２９】
集塵部３は、塵埃が流入する流入口９ａを有するとともに、両端に開口（図示せず）を有する円筒状の集塵部本体９と、集塵部本体９の下端側の開口（図示せず）を開閉自在に覆う下蓋体１０と、集塵部本体９内に配置され、流入口９ａから集塵部３内に流入した塵埃を遠心分離する円筒状の一次フィルタ１１と、一次フィルタ１１の下流側、すなわち、一次フィルタ１１の上方に配置されており、一次フィルタ１１を通過した塵埃を捕集する二次フィルタ１２と、二次フィルタ１２の上部に配置されており、二次フィルタ１２の上面及び集塵部本体９の上端側の開口（図示せず）を覆う上蓋体１３と、から構成されている。また、上蓋体１３の掃除機本体１側、すなわち、上蓋体１３の後部には、一次フィルタ１１及び二次フィルタ１２で塵埃が分離された空気を集塵部３の外部へと排気する流出口１３ａが形成されている。
【００３０】
延長管４のホース５側の端部には、使用者が掃除を行う際に保持する把手部１４が形成されている。また、ホース５の掃除機本体１側の端部には、掃除機本体１の後面に形成された接続口１ａに着脱自在に接続されるＬ字状の連通管１５が設けられており、連通管１５と接続口１ａとが接続されることで、延長管４及びホース５と後述する第１の流路２６とが連通される。
【００３１】
図２〜図６に示すように、掃除機本体１の下部には、吸引風を発生させる電動送風機１６を内蔵する電動送風機収納室１７が設けられている。電動送風機１６は、電気掃除機の１００の収納状態（図１〜図３に示す状態）において、電動送風機１６の吸気口１６ａが掃除機本体１の下部を向くように電動送風機収納室１７内に配置されている。また、電動送風機収納室１７の上部には、商用電源に接続される電源コード１８を収納するコードリール１９を内蔵するコードリール収納室２０が設けられており、電動送風機収納室１７とコードリール収納室２０とは連通されている。また、コードリール１９は、コードリール１９の回転軸が電動送風機１６の中心軸の方向と同一方向となるようにコードリール収納室２０内に配置されている。
【００３２】
掃除機本体１の後部の中央部には、延長管４を収納する延長管収納部２１が形成されている。延長管収納部２１は、掃除機本体１の上面に形成された挿入口２２と、掃除機本体１内に配置された有底状の延長管収納部本体２３と、から形成されている。また、延長管収納部２１は、延長管４が延長管収納部２１に収納された状態において、延長管４の一端に形成された開口部（図示せず）から外気が吸引されないように、延長管４と延長管収納部２１との間の気密性が保持されるように構成されている。さらに、延長管収納部２１の挿入口２２の近傍には、延長管４を延長管収納部２１内に保持する保持部２４が形成されており、この保持部２４と延長管４とが係合することによって、延長管４が掃除機本体１に着脱自在に保持される。
【００３３】
延長管収納部２１の外側と掃除機本体１の内側との間には、後述する第３の流路２９の一部を形成する排出空間部２５が形成されており、この排出空間部２５は、掃除機本体１の下部に形成された電動送風機収納室１７よりも上方に位置するように形成されている。また、排出空間部２５はコードリール収納室２０と連通されており、排出空間部２５と電動送風機収納室１７とはコードリール収納室２０を介して連通されている。
【００３４】
掃除機本体１の後部には、一端が吸込具２の接続管７と連通するとともに、他端が集塵部本体９の流入口９ａと連通する第１の流路２６が掃除機本体１の長手方向の略全長に亘って形成されている。また、掃除機本体１の後部には、一端が掃除機本体１内に配置された電動送風機１６の吸気口１６ａ側と連通するとともに、他端が集塵部３の上蓋体１３に形成された流出口１３ａと連通する第２の流路２７が掃除機本体１の長手方向の略全長に亘って形成されている。この第２の流路２７は、掃除機本体１とは別体に構成されており、掃除機本体１の外部に配置されている。また、第１の流路２６及び第２の流路２７は、掃除機本体１の後部の中央部に形成された延長管収納部２１の左右にそれぞれ配置されている。ここで、本実施の形態における長手方向とは、電気掃除機１００を収納状態とした際の電気掃除機１００の上下方向である。
【００３５】
掃除機本体１の後部の外郭には、電動送風機１６の排気口１６ｂから排出された排気風を掃除機本体１の外部へと排出する排出口２８が複数設けられており、この排出口２８は、掃除機本体１の内部に形成された電動送風機収納室１７よりも上方に形成されている。また、排出口２８は、掃除機本体１の外郭の排出空間部２５に対向し、且つ、第２の流路２７と対向する位置に形成されている。さらに、掃除機本体１の内部には、電動送風機１６の排気口１６ｂから排出された排気風を掃除機本体１の外郭に形成された排出口２８へと導く第３の流路２９が形成されている。この第３の流路２９は、電動送風機収納室１７、コードリール収納室２０、及び、排出空間部２５によって形成されている。
【００３６】
以上のように構成された電気掃除機１００について、以下、その動作及び作用を説明する。
【００３７】
図５及び図６に示すように、延長管４が延長管収納部２１に収納された状態で、電源コード１８が商用電源に接続され、電気掃除機１００の運転が開始されると、電動送風機１６が駆動され、電動送風機１６で吸引風が発生される。電動送風機１６で発生された吸引風は、第２の流路２７、集塵部３、第１の流路２６、及び、接続管７を介して吸込具２の吸引口６ａに至り、吸込具２の吸引口６ａから被清掃面の塵埃が吸引される。図５及び図６中の矢印Ａで示すように、吸込具２の吸引口６ａから吸引された塵埃は、接続管７及び第１の流路２６を介して集塵部本体９に形成された流入口９ａから集塵部３の内部へと流入する。
【００３８】
また、延長管４が延長管収納部２１から取り外された状態で、電源コード１８が商用電源に接続され、電気掃除機１００の運転が開始されると、電動送風機１６で発生された吸
引風は、第２の流路２７、集塵部３、第１の流路２６、連通管１５、及び、ホース５を介して延長管４の先端に形成された開口部（図示せず）へと至り、延長管４の先端に形成された開口部（図示せず）から被清掃面の塵埃が吸引される。図５及び図６中の矢印Ｂで示すように、延長管４の先端に形成された開口部（図示せず）から吸引された塵埃は、延長管４、ホース５、連通管１５、及び、第１の流路２６を介して集塵部本体９に形成された流入口９ａから集塵部３の内部へと流入する。
【００３９】
このとき、本実施の形態においては、第２の流路２７を掃除機本体１の長手方向の略全長に亘って形成しているため、電動送風機１６で発生した騒音が集塵部３に漏れることを十分に防止することができるとともに、電動送風機１６で発生した騒音を第２の流路２７で低減することができる。また、本実施の形態においては、第１の流路２６を掃除機本体１の長手方向の略全長に亘って形成しているため、電動送風機１６で発生した騒音を第１の流路２６でも低減させることができ、電動送風機１６で発生した騒音が掃除機本体１の外部に漏れることを十分に防止することができる。そのため、電動送風機１６で発生した騒音を第１の流路２６及び第２の流路２７で低減することができ、電動送風機１６で発生した騒音が掃除機本体１の外部に漏れることを十分に防止することができるため、電気掃除機１００の静音性能を向上させることができる。
【００４０】
図５及び図６に示すように、集塵部３内に流入した塵埃を含む吸引風は、一次フィルタ１１で遠心分離され、分離された塵埃が集塵部３の下部に蓄積する。一次フィルタ１１を通過した塵埃を含む吸引風は、二次フィルタ１２で塵埃が捕集され、吸引風のみが集塵部３の上蓋体１３に形成された流出口１３ａから集塵部３の外部へと排出される。図５〜図７中の矢印Ｃで示すように、集塵部３の上蓋体１３に形成された流出口１３ａから排出された吸引風は、第２の流路２７を介して電動送風機１６の吸気口１６ａへと至り、電動送風機１６の内部へと流入し、電動送風機１６の排気口１６ｂから排気風が排出される。
【００４１】
図５〜図７中の矢印Ｄで示すように、電動送風機１６の排気口１６ｂから排出された排気風は、電動送風機収納室１７内へと排出され、その後、電動送風機収納室１７、コードリール収納室２０、及び、排出空間部２５で形成された第３の流路２９を介して掃除機本体１の外郭に形成された複数の排出口２８へと至り、排出口２８から掃除機本体１の外部へと排出される。
【００４２】
このとき、本実施の形態においては、排出空間部２５を電動送風機収納室１７よりも上方に形成するとともに、掃除機本体１の外郭の排出空間部２５に対向する位置に排出口２８を形成しているため、電動送風機１６で発生した騒音が排出口２８から掃除機本体１の外部に漏れることを十分に防止することができる。また、本実施の形態においては、掃除機本体１の内部に形成された電動送風機収納室１７、コードリール収納室２０、及び、排出空間部２５によって、電動送風機１６の排気風を排出口２８に導く第３の流路２９を形成しているため、電動送風機１６で発生した騒音を第３の流路２９で低減することができる。そのため、電動送風機で発生した騒音が掃除機本体の外部に漏れることをさらに十分に防止することができ、電気掃除機の静音性能をさらに向上させることができる。
【００４３】
また、本実施の形態においては、電動送風機収納室１７、コードリール収納室２０、及び、排出空間部２５によって第３の流路２９を形成しているため、電動送風機１６の排気風を排出口２８に導くための流路を別部材で形成する必要がなく、掃除機本体１内の構成を簡素化することができる。そのため、電動送風機１６で発生した騒音を簡単な構成で確実に低減することができ、電気掃除機１００の静音性能を向上させることができる。
【００４４】
さらに、本実施の形態においては、電動送風機１６を収納する電動送風機収納室１７の上部にコードリール１９を収納するコードリール収納室２０を配置するとともに、電動送
風機収納室１７及びコードリール収納室２０によって、電動送風機１６の排気風を掃除機本体１の外部へと排出する第３の流路２９の一部を構成しているため、第３の流路２９内にコードリール１９が配置される構成となる。これにより、電動送風機１６で発生した騒音をコードリール１９で遮音することができ、電動送風機１６で発生した騒音が掃除機本体１の外部へと漏れることを十分に防止できるため、電動送風機１６で発生した騒音が掃除機本体１の外部に漏れることを十分に防止することができ、電気掃除機１００の静音性能をさらに向上させることができる。
【００４５】
また、本実施の形態においては、電動送風機１６から排出された排気風を掃除機本体１の外部へと排出する排出口２８を掃除機本体１の延長管収納部２１に対向する位置で、かつ、第２の流路２７と対向する位置に形成しているため、電動送風機１６で発生した騒音が排出口から掃除機本体１の外部に漏れた場合であっても、排出口２８から掃除機本体１の外部に漏れた騒音を第２の流路２７で遮音することができる。そのため、電動送風機１６で発生した騒音が掃除機本体１の外部に漏れることを十分に防止することができ、電気掃除機１００の静音性能をさらに向上させることができる。
【００４６】
（実施の形態２）
本発明の電気掃除機の実施の形態２について、図８を用いて説明する。なお、上述した実施の形態１と同一構成部品については同一符号を付して、その説明を省略する。
【００４７】
図８は、本発明の実施の形態２における第３の流路を示す掃除機本体の断面図である。
【００４８】
図８に示すように、本実施の形態において、第２の流路２７は、掃除機本体１の内部に形成されている。また、第３の流路は、電動送風機収納室１７、コードリール収納室２０、排出空間部２５、及び、第２の流路２７と掃除機本体１との間に形成された空間（図示せず）で形成されている。さらに、排出口２８は、電動送風機収納室１７よりも上方で、かつ、第２の流路２７と対向する掃除機本体１の外郭に形成されている。
【００４９】
この構成により、電動送風機１６から排出された排気風を排出口２８に導く第３の流路２９の長さを長くすることができるため、電動送風機１６で発生した騒音をさらに低減することができ、電動送風機１６で発生した騒音が掃除機本体１の外部に漏れることを十分に防止することができるとともに、電気掃除機１００の静音性能をさらに向上させることができる。
【００５０】
以上、本発明の実施の形態１及び実施の形態２の電気掃除機について説明したが、本発明の電気掃除機は上述した実施の形態１及び実施の形態２の電気掃除機に限定されるものではない。
【００５１】
例えば、本発明の実施の形態１及び実施の形態２においては、排出空間部２５、または、第２の流路２７と対向する掃除機本体１の外郭に排出口２８を形成した構成について説明したが、排出口２８は、電動送風機１６を収納する電動送風機収納室１７よりも上方に形成され、かつ、第３の流路２９によって電動送風機収納室１７と連通されていれば、コードリール収納室２０や第１の流路２６の近傍に形成してもよく、また、掃除機本体１の前部または側部に形成してもよい。この構成により、電動送風機１６の排気風を掃除機本体１の外部に導く第３の流路２９の長さを長くすることができ、電動送風機１６で発生した騒音が排出口２８から掃除機本体１の外部に漏れることを十分に防止することができるとともに、電動送風機１６で発生した騒音を第３の流路２９で低減することができる。そのため、電動送風機１６で発生した騒音が掃除機本体１の外部に漏れることをさらに十分に防止することができ、電気掃除機１００の静音性能をさらに向上させることができる。
【００５２】
また、本発明の実施の形態１及び実施の形態２においては、集塵部３がサイクロン式の集塵装置である構成について説明したが、集塵部３は、塵埃を捕集する集塵袋と、集塵袋が装着される集塵室と、で構成されていてもよい。この構成においても、本発明の実施の形態１及び実施の形態２と同様の構成を採用することができ、電動送風機で発生した騒音が排出口から掃除機本体の外部に漏れることを十分に防止することができるため、電動送風機で発生した騒音が掃除機本体の外部に漏れることをさらに十分に防止することができ、電気掃除機の静音性能をさらに向上させることができる。
【産業上の利用可能性】
【００５３】
本発明の電気掃除機は、電動送風機で発生した騒音が掃除機本体の外部に漏れることを十分に防止でき、電気掃除機の静音性能を向上させることができるようになるため、家庭用電気掃除機及び産業用電気掃除機の分野・用途に好適に適用することができる。
【符号の説明】
【００５４】
１  掃除機本体
１ａ  接続口
２  吸込具
３  集塵部
４  延長管
５  ホース
６  吸込具本体
６ａ  吸引口
７  接続管
８  回転ブラシ
９  集塵部本体
９ａ  流入口
１０  下蓋体
１１  一次フィルタ
１２  二次フィルタ
１３  上蓋体
１３ａ  流出口
１４  把手部
１５  連通管
１６  電動送風機
１６ａ  吸気口
１６ｂ  排気口
１７  電動送風機収納室
１８  電源コード
１９  コードリール
２０  コードリール収納室
２１  延長管収納部
２２  挿入口
２３  延長管収納部本体
２４  保持部
２５  排出空間部
２６  第１の流路
２７  第２の流路
２８  排出口
２９  第３の流路
１００  電気掃除機
【図２】
0005909635.tif 000002
【図１】
0005909635.tif 000003
【図３】
0005909635.tif 000004
【図４】
0005909635.tif 000005
【図５】
0005909635.tif 000006
【図６】
0005909635.tif 000007
【図７】
0005909635.tif 000008
【図８】
0005909635.tif 000009
【図９】
0005909635.tif 000010